(57)【要約】【課題】表示面内で輝度を均一にすることができる立体表示装置を得る。【解決手段】線順次走査により表示駆動され、複数の異なる視点の映像を表示する表示部２０と、線順次走査の方向において分割された複数のサブ発光領域を含むように構成されたバックライト３０と、複数の開閉部からなる開閉部グループを複数含み、グループ間で互いに異なるタイミングで開閉動作する光バリア部と、表示部における線順次走査に同期して、バックライトの各サブ発光領域の発光をそれぞれ制御するバックライト制御部とを備える。上記バックライト制御部は、各サブ発光領域の発光輝度を個別に制御するものである。【選択図】図１０
2012103400.tif 000002
【特許請求の範囲】
【請求項１】
線順次走査により表示駆動され、複数の異なる視点の映像を表示する表示部と、
前記線順次走査の方向において分割された複数のサブ発光領域を含むように構成されたバックライトと、
複数の開閉部からなる開閉部グループを複数含み、グループ間で互いに異なるタイミングで開閉動作する光バリア部と、
前記表示部における線順次走査に同期して、前記バックライトの各サブ発光領域の発光をそれぞれ制御するバックライト制御部と
を備え、
前記バックライト制御部は、各サブ発光領域の発光輝度を個別に制御する
立体表示装置。
【請求項２】
各サブ発光領域の発光輝度は、前記開閉部の開放期間とそのサブ発光領域の発光期間との相対的なタイミング関係に応じて設定される
請求項１に記載の立体表示装置。
【請求項３】
各サブ発光領域の発光輝度は、前記表示部に一様な映像を表示する場合において、観察者が前記立体表示装置の表示を観察したときの視認輝度が表示面内で均一になるようにそれぞれ設定される
請求項２に記載の立体表示装置。
【請求項４】
前記複数の開閉部は、それぞれが前記線順次走査の方向に延在するように設けられると共に、前記線順次走査の方向と交差する方向に前記開閉部グループが巡回するように並設されている
請求項１に記載の立体表示装置。
【請求項５】
前記複数の開閉部は、前記線順次走査の方向に分割され、互いに異なる開閉部グループを構成し、
前記相対的なタイミング関係は、前記開閉部のそれぞれの開放期間と、その開閉部の位置に対応する前記サブ発光領域の発光期間との関係である
請求項４に記載の立体表示装置。
【請求項６】
前記光バリア部は、前記開閉部を前記開閉部グループごとに時分割的に切り替えて開閉動作し、
前記表示部は、開放状態になった前記開閉部に対応する位置に順次映像を表示する
請求項１から請求項５のいずれか一項に記載の立体表示装置。
【請求項７】
前記バックライト制御部は、発光デューティ比によって各サブ発光領域の発光輝度を制御する
請求項１から請求項５のいずれか一項に記載の立体表示装置。
【請求項８】
前記複数のサブ発光領域の発光輝度をそれぞれ設定するための１または複数の輝度パラメータセットを保持する輝度パラメータセット保持部をさらに備えた
請求項１から請求項５のいずれか一項に記載の立体表示装置。
【請求項９】
温度センサをさらに備え、
前記バックライト制御部は、前記温度センサの検出結果に基づいて、前記複数の輝度パラメータセットのうちの１つを選択し、それに基づいて各サブ発光領域の発光輝度を制御する
請求項８に記載の立体表示装置。
【請求項１０】
温度センサと、
前記光バリア部の各開閉部グループの開閉動作を制御する光バリア制御部と
をさらに備え、
前記光バリア制御部は、前記温度センサの検出結果に基づいて、前記各開閉部グループの開閉動作のタイミングを制御する
請求項８に記載の立体表示装置。
【請求項１１】
前記開閉部の前記開放期間は、
前記開閉部が遮断状態から開放状態に変化する第１の過渡期間と、
前記開閉部が開放状態を維持する全開期間と、
前記開閉部が開放状態から遮断状態に変化する第２の過渡期間と
を含み、
前記複数のサブ発光領域の発光輝度は、前記第１の過渡期間の長さ、前記全開期間の長さ、前記第２の過渡期間の長さ、前記第１の過渡期間における前記開閉部の光透過率の変化の仕方、および前記第２の過渡期間における前記開閉部の光透過率の変化の仕方により設定される
請求項１から請求項５のいずれか一項に記載の立体表示装置。
【請求項１２】
前記表示部は、前記バックライトと前記光バリア部との間に配置されている
請求項１から請求項５のいずれか一項に記載の立体表示装置。
【請求項１３】
前記光バリア部は、前記バックライトと前記表示部との間に配置されている
請求項１から請求項５のいずれか一項に記載の立体表示装置。
【請求項１４】
線順次走査により表示駆動され、複数の異なる視点映像を表示する表示部と、
前記線順次走査の方向において分割された複数のサブ発光領域を含むように構成されたバックライトと、
前記視点映像の切り換えに応じて透過率を切り換える複数の開閉部を備える光バリア部と、
前記表示部における線順次走査に同期して、前記バックライトの各サブ発光領域の発光をそれぞれ制御するバックライト制御部と
を備え、
前記バックライト制御部は、各サブ発光領域の発光輝度を個別に制御する
立体表示装置。
【請求項１５】
光バリアの複数の開閉部を開閉部グループごとに時分割的に切り替えて開閉動作し、
開放状態になった前記開閉部に対応する位置に、複数の異なる視点の映像を線順次走査により表示し、
前記線順次走査の方向において分割された、バックライトの複数のサブ発光領域のそれぞれが、個別に設定された発光輝度で、前記線順次走査に同期して発光する
立体表示装置の表示方法。
【発明の詳細な説明】
【技術分野】
【０００１】
本発明は、立体視表示が可能な、パララックスバリア方式の立体表示装置およびその表示方法に関する。
【背景技術】
【０００２】
近年、立体視表示を実現できる表示装置（立体表示装置）が注目を集めている。立体視表示は、互いに視差のある（視点の異なる）左眼映像と右眼映像を表示するものであり、観察者が左右の目でそれぞれを見ることにより奥行きのある立体的な映像として認識することができる。また、互いに視差がある３つ以上の映像を表示することにより、観察者に対してより自然な立体映像を提供することが可能な表示装置も開発されている。
【０００３】
このような立体表示装置は、専用の眼鏡が必要なものと、不要なものとに大別されるが、観察者にとっては専用の眼鏡は煩わしく感じるものであり、専用の眼鏡が不要なものが望まれている。専用の眼鏡が不要な表示装置としては、例えば、レンチキュラーレンズ方式や、視差バリア（パララックスバリア）方式などがある。これらの方式では、互いに視差がある複数の映像（視点映像）を同時に表示し、表示装置と観察者の視点との相対的な位置関係（角度）によって見える映像が異なるようになっている。このような表示装置で複数の視点の映像を表示した場合には、映像の実質的な解像度が、ＣＲＴ（Cathode Ray Tube）や液晶表示装置などの表示装置自体の解像度を視点の数で割ったものとなり、画質が低下してしまうという問題があった。
【０００４】
この問題を解決するために、様々な検討がなされている。例えば、特許文献１には、パララックスバリア方式において、表示面内に配置された複数バリアのそれぞれの透過状態（開状態）および遮断状態（閉状態）を時分割的に切り替えて表示することにより、等価的に解像度を改善する表示装置が提案されている。
【先行技術文献】
【特許文献】
【０００５】
【特許文献１】特開２００７−１１４７９３号公報
【発明の概要】
【発明が解決しようとする課題】
【０００６】
ところで、一般に表示装置では、表示面内において輝度が均一であることが望まれる。しかしながら、特許文献１には、輝度の均一性については一切記載がない。
【０００７】
本発明はかかる問題点に鑑みてなされたもので、その目的は、表示面内で輝度を均一にすることができる立体表示装置および立体表示装置の表示方法を提供することにある。
【課題を解決するための手段】
【０００８】
本発明の立体表示装置は、表示部と、バックライトと、光バリア部と、バックライト制御部とを備えている。表示部は、線順次走査により表示駆動され、複数の異なる視点の映像を表示するものである。バックライトは、線順次走査の方向において分割された複数のサブ発光領域を含むように構成されたものである。光バリア部は、複数の開閉部からなる開閉部グループを複数含み、グループ間で互いに異なるタイミングで開閉動作するものである。バックライト制御部は、表示部における線順次走査に同期して、バックライトの各サブ発光領域の発光をそれぞれ制御するものである。上記バックライト制御部は、各サブ発光領域の発光輝度を個別に制御するものである。
【０００９】
本発明の立体表示装置の表示方法は、光バリアの複数の開閉部を開閉部グループごとに時分割的に切り替えて開閉動作し、開放状態になった開閉部に対応する位置に、複数の異なる視点の映像を線順次走査により表示し、線順次走査の方向において分割された、バックライトの複数のサブ発光領域のそれぞれが、個別に設定された発光輝度で、線順次走査に同期して発光するものである。
【００１０】
本発明の立体表示装置および立体表示装置の表示方法では、複数の開閉部が開閉グループごとに開閉動作することにより、表示部に線順次走査により表示された複数の異なる視点の映像が立体的に表示される。その際、バックライトの複数のサブ発光領域のそれぞれは、個別に設定された発光輝度で、表示部の線順次走査に同期して発光する。
【００１１】
本発明の立体表示装置では、例えば、各サブ発光領域の発光輝度は、開閉部の開放期間とそのサブ発光領域の発光期間との相対的なタイミング関係に応じて設定されるのが望ましい。また、例えば、各サブ発光領域の発光輝度は、表示部に一様な映像を表示する場合において、観察者が立体表示装置の表示を観察したときの視認輝度が表示面内で均一になるようにそれぞれ設定されるのが望ましい。
【００１２】
例えば、複数の開閉部は、それぞれが線順次走査の方向に延在するように設けられると共に、線順次走査の方向と交差する方向に開閉部グループが巡回するように並設されていてもよい。また、複数の開閉部は、線順次走査の方向に分割され、互いに異なる開閉部グループを構成してもよい。この場合、相対的なタイミング関係は、例えば、開閉部のそれぞれの開放期間と、その開閉部の位置に対応するサブ発光領域の発光期間との関係にすることができる。例えば、光バリア部は、開閉部を開閉部グループごとに時分割的に切り替えて開閉動作し、表示部は、開放状態になった開閉部に対応する位置に順次映像を表示するのが望ましい。
【００１３】
例えば、バックライト制御部は、発光デューティ比によって各サブ発光領域の発光輝度を制御することが望ましい。
【００１４】
例えば、複数のサブ発光領域の発光輝度をそれぞれ設定するための１または複数の輝度パラメータセットを保持する輝度パラメータセット保持部をさらに備えるのが望ましい。この場合、例えば、温度センサをさらに備え、バックライト制御部は、温度センサの検出結果に基づいて、複数の輝度パラメータセットのうちの１つを選択し、それに基づいて各サブ発光領域の発光輝度を制御するようにしてもよい。また、例えば、温度センサと、光バリア部の各開閉部グループの開閉動作を制御する光バリア制御部とをさらに備え、光バリア制御部は、温度センサの検出結果に基づいて、各開閉部グループの開閉動作のタイミングを制御するようにしてもよい。
【００１５】
例えば、開閉部の開放期間は、開閉部が遮断状態から開放状態に変化する第１の過渡期間と、開閉部が開放状態を維持する全開期間と、開閉部が開放状態から遮断状態に変化する第２の過渡期間とを含み、複数のサブ発光領域の発光輝度は、第１の過渡期間の長さ、全開期間の長さ、第２の過渡期間の長さ、第１の過渡期間における開閉部の光透過率の変化の仕方、および第２の過渡期間における開閉部の光透過率の変化の仕方により設定されるのが望ましい。
【００１６】
例えば、表示部は、バックライトと光バリア部との間に配置されるようにしてもよい。また、例えば、光バリア部は、バックライトと表示部との間に配置されるようにしてもよい。
【発明の効果】
【００１７】
本発明の立体表示装置および立体表示装置の表示方法によれば、複数のサブ発光領域のそれぞれが、個別に設定された発光輝度で発光するようにしたので、表示面内で輝度を均一にすることができる。
【図面の簡単な説明】
【００１８】
【図１】本発明の第１の実施の形態に係る立体表示装置の一構成例を表すブロック図である。
【図２】図１に示した立体表示装置の一構成例を表す説明図である。
【図３】図１に示した表示駆動部および表示部の一構成例を表すブロック図である。
【図４】図３に示した画素の一構成例を表す回路図である。
【図５】図１に示したバックライトの一構成例を表す説明図である。
【図６】図１に示した液晶バリアの一構成例を表す説明図である。
【図７】図１に示した液晶バリアの立体視表示の一動作例を表す模式図である。
【図８】図１に示した表示部および液晶バリアの一動作例を表す模式図である。
【図９】図１に示した表示部および液晶バリアの一動作例を表す他の模式図である。
【図１０】図１に示した立体表示装置の一動作例を表すタイミング図である。
【図１１】図１に示した立体表示装置の一動作例を表す他のタイミング図である。
【図１２】図１に示した立体表示装置の一動作例を表す模式図である。
【図１３】比較例に係る立体表示装置の一動作例を表す他のタイミング図である。
【図１４】比較例に係る立体表示装置の一動作例を表す模式図である。
【図１５】本発明の第２の実施の形態に係る立体表示装置の一構成例を表すブロック図である。
【図１６】図１５に示した立体表示装置の一動作例を表すタイミング図である。
【図１７】図１５に示した立体表示装置の一動作例を表す模式図である。
【図１８】本発明の第３の実施の形態に係る立体表示装置の一構成例を表すブロック図である。
【図１９】図１８に示した立体表示装置の一動作例を表すタイミング図である。
【図２０】本発明の第４の実施の形態に係る液晶バリアの一構成例を表す説明図である。
【図２１】図２０に示した液晶バリアの立体視表示の一動作例を表す模式図である。
【図２２】第４の実施の形態に係る立体表示装置の一動作例を表すタイミング図である。
【図２３】第４の実施の形態に係る立体表示装置の一動作例を表す模式図である。
【図２４】変形例に係る立体表示装置の一構成例を表す説明図である。
【図２５】変形例に係る立体表示装置の一動作例を表す模式図である。
【図２６】他の変形例に係るバックライトの一構成例を表す平面図である。
【図２７】他の変形例に係る液晶バリアの一構成例を表す平面図である。
【図２８】他の変形例に係る表示部および液晶バリアの一動作例を表す模式図である。
【図２９】他の変形例に係る立体表示装置の一動作例を表すタイミング図である。
【発明を実施するための形態】
【００１９】
以下、本発明の実施の形態について、図面を参照して詳細に説明する。なお、説明は以下の順序で行う。
１．第１の実施の形態
２．第２の実施の形態
３．第３の実施の形態
４．第４の実施の形態
【００２０】
＜１．第１の実施の形態＞
［構成例］
（全体構成例）
図１は、本発明の実施の形態に係る立体表示装置の一構成例を表すものである。なお、本発明の実施の形態に係る立体表示装置の表示方法は、本実施の形態により具現化されるので、併せて説明する。立体表示装置１は、制御部４０と、表示駆動部５０と、表示部２０と、バックライト駆動部４２と、バックライト３０と、発光輝度データ保持部４３と、バリア駆動部４１と、液晶バリア１０とを備えている。
【００２１】
制御部４０は、外部より供給される映像信号Ｖdispに基づいて、表示駆動部５０、バックライト駆動部４２、およびバリア駆動部４１に対してそれぞれ制御信号を供給し、これらがお互いに同期して動作するように制御する回路である。具体的には、制御部４０は、表示駆動部５０に対して映像信号Ｖdispに基づく映像信号Ｓを供給し、バックライト駆動部４２に対してバックライト制御信号ＣＢＬを供給し、バリア駆動部４１に対してバリア制御信号ＣＢＲを供給するようになっている。ここで、映像信号Ｓは、立体表示装置１が立体視表示を行う場合に、後述するように、それぞれが複数（この例では６つ）の視点映像を含む映像信号ＳＡ，ＳＢから構成されるものである。
【００２２】
表示駆動部５０は、制御部４０から供給される映像信号Ｓに基づいて表示部２０を駆動するものである。表示部２０は、線順次走査により表示を行うものであり、この例では、液晶表示素子を駆動して、バックライト３０から射出した光を変調することにより表示を行うようになっている。
【００２３】
バックライト駆動部４２は、制御部４０から供給されるバックライト制御信号ＣＢＬに基づいてバックライト３０を駆動するものである。バックライト３０は、表示部２０に対して面発光した光を射出する機能を有しており、独立して発光可能な複数の発光部ＢＬ（後述する発光部ＢＬ１〜ＢＬ１０）により構成されるものである。発光輝度データ保持部４３は、各発光部ＢＬに対して発光輝度Ｊ（後述する発光輝度Ｊ１〜Ｊ１０）を指示するための発光輝度データ４４を保持するものであり、バックライト駆動部４２は、この発光輝度データ４４に基づいて各発光部ＢＬの発光を制御するようになっている。
【００２４】
バリア駆動部４１は、制御部４０から供給されるバリア制御信号ＣＢＲに基づいて液晶バリア１０を駆動するものである。液晶バリア１０は、液晶により構成された複数の開閉部１１，１２（後述）を有し、バックライト３０から射出し表示部２０を透過した光を、透過または遮断する機能を有している。
【００２５】
図２は、立体表示装置１の要部の一構成例を表すものであり、（Ａ）は立体表示装置１の分解斜視構成を示し、（Ｂ）は立体表示装置１の側面図を示す。図２に示したように、立体表示装置１では、これらの各部品は、バックライト３０、表示部２０、および液晶バリア１０の順に配置されている。つまり、バックライト３０から射出した光は、表示部２０および液晶バリア１０を介して、観察者に届くようになっている。また、立体表示装置１の表示面は、１０個の表示領域Ｄ（表示領域Ｄ１〜Ｄ１０）に分けられている。この表示領域Ｄ１〜Ｄ１０は、後述する発光部ＢＬ１〜ＢＬ１０にそれぞれ対応するものである。
【００２６】
（表示駆動部５０および表示部２０）
図３は、表示駆動部５０および表示部２０のブロック図の一例を表すものである。表示駆動部５０は、タイミング制御部５１と、ゲートドライバ５２と、データドライバ５３とを備えている。タイミング制御部５１は、ゲートドライバ５２およびデータドライバ５３の駆動タイミングを制御するとともに、制御部４０から供給された映像信号Ｓを映像信号Ｓ１としてデータドライバ５３へ供給するものである。ゲートドライバ５２は、タイミング制御部５１によるタイミング制御に従って、表示部２０内の画素Ｐｉｘを行ごとに順次選択して、線順次走査するものである。データドライバ５３は、表示部２０の各画素Ｐｉｘへ、映像信号Ｓ１に基づく画素信号を供給するものである。具体的には、データドライバ５３は、映像信号Ｓ１に基づいてＤ／Ａ（デジタル／アナログ）変換を行うことにより、アナログ信号である画素信号を生成し、各画素Ｐｉｘへ供給するようになっている。
【００２７】
表示部２０は、例えばガラスなどから構成される２枚の透明基板の間に液晶材料を封入したものである。これらの透明基板の液晶材料に面した部分には、例えばＩＴＯ（Indium Tin Oxide）などから構成される透明電極が形成され、液晶材料とともに画素Ｐｉｘを構成している。表示部２０には、図３に示したように、画素Ｐｉｘがマトリックス状に配置されている。
【００２８】
図４は、画素Ｐｉｘの回路図の一例を表すものである。画素Ｐｉｘは、ＴＦＴ（Thin Film Transistor）素子Ｔｒと、液晶素子ＬＣと、保持容量素子Ｃとを備えている。ＴＦＴ素子Ｔｒは、例えばＭＯＳ−ＦＥＴ（Metal Oxide Semiconductor-Field Effect Transistor）により構成されるものであり、ゲートがゲート線Ｇに接続され、ソースがデータ線Ｄに接続され、ドレインが液晶素子ＬＣの一端と保持容量素子Ｃの一端に接続されている。液晶素子ＬＣは、一端がＴＦＴ素子Ｔｒのドレインに接続され、他端は接地されている。保持容量素子Ｃは、一端がＴＦＴ素子Ｔｒのドレインに接続され、他端は保持容量線Ｃｓに接続されている。ゲート線Ｇはゲートドライバ５２に接続され、データ線Ｄはデータドライバ５３に接続されている。
【００２９】
この構成により、バックライト３０から射出した光は、表示部２０の入射側に配置された偏光板（図示せず）によって定められる方向の直線偏光となり、液晶素子ＬＣに入射する。液晶素子ＬＣでは、データ線Ｄを介して供給された画素信号に応じて、液晶分子の向きがある応答時間で変化する。このような液晶素子ＬＣに入射した光は、その偏光方向が変化する。そして、液晶素子ＬＣを透過した光は、表示部２０の出射側に配置された偏光板（図示せず）に入射し、特定の偏光方向の光のみが通過する。このようにして、液晶素子ＬＣでは光の強度変調が行われるようになっている。
【００３０】
（バックライト駆動部４２およびバックライト３０）
図５は、バックライト３０の一構成例を表すものであり、（Ａ）はバックライト３０の平面図を示し、（Ｂ）はバックライト３０の要部の斜視図を示す。バックライト３０は、この例では、図５（Ａ）に示したように、独立して発光可能な１０個の発光部ＢＬ１〜ＢＬ１０を有している。なお、発光部ＢＬの数は、１０個に限られるものではなく、複数であればいくつであってもよい。各発光部ＢＬは、図５（Ｂ）に示したように、それぞれ、光源３１と、導光板３２とを有している。光源３１は、この例では、ＬＥＤ（Light Emitting Diode）により構成されている。導光板３２は、光源３１から射出した光を拡散することにより、各発光部ＢＬがほぼ均一に面発光するように機能する。
【００３１】
発光部ＢＬ１〜ＢＬ１０が独立して発光できるようにするため、バックライト３０では、隣接する発光部ＢＬ間において互いに光が伝わらないようになっている。具体的には、まず、１つの光源３１から射出した光は、その光源３１に対応する導光板３２にのみ入射するようになっている。そして、導光板３２に入射した光は、導光板３２の側面において全反射するようになっており、これにより隣接する発光部ＢＬの導光板３２にこの側面を介して光が伝わらないようになっている。この全反射は、具体的には、光源３１の位置を調整し、あるいは、導光板３２の側面に光反射を起こす反射面を設けることにより実現可能である。なお、この例では、光源３１はＬＥＤにより構成されるものとしたが、これに限定されるものではなく、これに代えて、例えばＣＣＦＬ（Cold Cathode Fluorescent Lamp）により構成されるようにしてもよい。
【００３２】
バックライト駆動部４２は、これらの発光部ＢＬ１〜ＢＬ１０が独立して発光するように駆動する。具体的には、バックライト駆動部４２は、発光部ＢＬ１〜ＢＬ１０が互いに異なるタイミングで、かつ互いに異なる発光輝度Ｊで発光するように、各発光部ＢＬを駆動する。各発光部ＢＬが互いに異なる発光輝度Ｊで発光するためには、各発光部ＢＬの発光のデューティ比を独立して制御するのが望ましく、また、例えば、光源３１を発光させるための電流を独立して制御してもよい。バックライト駆動部４２は、発光輝度データ保持部４３の発光輝度データ４４に基づいて、発光部ＢＬ１〜ＢＬ１０の発光輝度Ｊ１〜Ｊ１０をそれぞれ制御するようになっている。
【００３３】
発光部ＢＬ１〜ＢＬ１０は、図２に示した表示領域Ｄ１〜Ｄ１０に対応するものである。つまり、例えば、表示領域Ｄ１における表示は、発光部ＢＬ１から射出し表示部２０および液晶バリア１０を通過した光に基づいて行われ、表示領域Ｄ５における表示は、発光部ＢＬ５から射出し表示部２０および液晶バリア１０を通過した光に基づいて行われるようになっている。
【００３４】
この構成により、発光部ＢＬ１〜ＢＬ１０は、バックライト駆動部４２から供給される駆動信号に基づき、互いに異なるタイミングで発光することができる。これにより、立体表示装置１では、これらの発光部ＢＬ１〜ＢＬ１０が、表示部２０における線順次走査に同期して、順次点灯しあるいは順次消灯できるようになっている。
【００３５】
また、発光部ＢＬ１〜ＢＬ１０は、バックライト駆動部４２から供給される駆動信号に基づき、互いに異なる発光輝度Ｊ１〜Ｊ１０で独立して発光することができる。これにより、立体表示装置１では、後述するように、各表示領域Ｄ１〜Ｄ１０における輝度の時間平均値（平均輝度）を互いに等しくことができるようになっている。
【００３６】
（液晶バリア１０）
図６は、液晶バリア１０の一構成例を表すものであり、（Ａ）は液晶バリア１０の平面図を示し、（Ｂ）は側面図を示す。なお、この例では、液晶バリア１０はノーマリーホワイト動作を行うものとする。つまり、液晶バリア１０は、駆動されていない状態では光を透過するものである。
【００３７】
液晶バリア１０は、図６（Ａ）に示したように、光を透過または遮断する複数の開閉部１１，１２を有している。開閉部１１および開閉部１２は、ｘ軸方向に交互に並設され、ｙ軸方向（順次走査方向）に延在するように形成されている。開閉部１１，１２は、立体表示装置１が通常表示（２次元表示）および立体視表示のどちらを行うかにより、異なる動作を行う。具体的には、開閉部１１は、後述するように、立体表示装置１が通常表示を行う際に開状態（透過状態）になり、立体視表示を行う際には、閉状態（遮断状態）となるものである。開閉部１２は、後述するように、立体表示装置１が通常表示を行う際に開状態（透過状態）になり、立体視表示を行う際には、時分割的に開閉動作を行うものである。
【００３８】
液晶バリア１０は、図６（Ｂ）に示したように、透明基板１３と、透明基板１３に対向して配置された透明基板１６と、透明基板１３と透明基板１６との間に挿設された液晶層１９とを備えている。透明基板１３，１６は、例えばガラスなどから構成されるものである。透明基板１３の液晶層１９側の面、および透明基板１６の液晶層１９側の面には、例えばＩＴＯなどから構成される複数の透明電極１５，１７がそれぞれ形成されている。透明基板１３上に形成された透明電極１５と、透明基板１６上に形成された透明電極１７とは、互いに対応する位置に配置されており、液晶層１９とともに開閉部１１，１２を構成している。透明基板１３の液晶層１９とは反対側の面、および透明基板１６の液晶層１９とは反対側の面には、偏光板１４，１８がそれぞれ形成されている。なお、図示していないが、図６（Ｂ）において、液晶バリア１０の右側（偏光板１８の右側）には、表示部２０およびバックライト３０が図２（Ｂ）に示した順に配置されている。
【００３９】
液晶バリア１０の開閉部１１，１２の開閉動作は、表示部２０における表示動作と同様である。すなわち、バックライト３０から射出し表示部２０を透過した光は、偏光板１８によって定められる方向の直線偏光となり、液晶層１９に入射する。液晶層１９では、透明電極１５，１７に供給された電位差に応じて、液晶分子の向きがある応答時間で変化する。このような液晶層１９に入射した光は、その偏光方向が変化する。そして、液晶層１９を透過した光は、偏光板１４に入射し、特定の偏光方向の光のみが通過する。このようにして、液晶層１９では光の強度変調が行われるようになっている。
【００４０】
この構成により、透明電極１５，１７に電圧を印加してその電位差が大きくなると、液晶層１９における光の透過率が減少し、開閉部１１，１２は遮断状態になる。一方、透明電極１５，１７間の電位差が小さくなると、液晶層１９における光の透過率が増大し、開閉部１１，１２は透過状態となる。
【００４１】
なお、この例では、液晶バリア１０はノーマリーホワイト動作を行うものとしたが、これに限定されるものではなく、これに代えて、例えばノーマリーブラック動作を行うものであってもよい。この場合には、透明電極１５，１７間の電位差が大きくなると、開閉部１１，１２は透過状態となり、透明電極１５，１７間の電位差が小さくなると、開閉部１１，１２は遮断状態となる。なお、ノーマリーホワイト動作とノーマリーブラック動作の選択は、例えば、偏光板と液晶配向により設定することができる。
【００４２】
複数の開閉部１２はグループを構成し、同じグループに属する複数の開閉部１２は、立体視表示を行う際、同じタイミングで開動作および閉動作を行うようになっている。以下に、開閉部１２のグループについて説明する。
【００４３】
図７は、開閉部１２のグループ構成例を表すものである。開閉部１２は、この例では２つのグループを構成している。具体的には、１つおきに配置された複数の開閉部１２が、グループＡおよびグループＢをそれぞれ構成している。なお、以下では、グループＡに属する開閉部１２の総称として開閉部１２Ａを適宜用い、同様に、グループＢに属する開閉部１２の総称として開閉部１２Ｂを適宜用いるものとする。
【００４４】
バリア駆動部４１は、立体視表示を行う際、同じグループに属する複数の開閉部１２が同じタイミングで開閉動作を行うように駆動する。具体的には、バリア駆動部４１は、後述するように、グループＡに属する複数の開閉部１２Ａと、グループＢに属する複数の開閉部１２Ｂとを、時分割的に交互に開閉動作するように駆動する。このように、同じグループに属する複数の開閉部１２が同じタイミングで動作するためには、例えば、バリア駆動部４１が、同じグループに属する複数の開閉部１２の透明電極１５，１７に対して、同時に駆動信号を印加すればよい。また、同じグループに属する複数の開閉部１２の透明電極１５，１７を互いに結線することにより、同時に駆動信号を印加するようにしてもよい。
【００４５】
図８は、立体視表示および通常表示（２次元表示）を行う場合の液晶バリア１０の状態を、断面構造を用いて模式的に表すものであり、（Ａ）は立体視表示を行う一状態を示し、（Ｂ）は立体視表示を行う他の状態を示し、（Ｃ）は通常表示を行う状態を示す。液晶バリア１０には、開閉部１１および開閉部１２（開閉部１２Ａ，１２Ｂ）が交互に配置されている。この例では、開閉部１２Ａは、表示部２０の６つの画素Ｐｉｘに１つの割合で設けられている。同様に、開閉部１２Ｂは、表示部２０の６つの画素Ｐｉｘに１つの割合で設けられている。以下の説明では、画素Ｐｉｘは、３つのサブピクセル（ＲＧＢ）から構成されたピクセルとするが、これに限定されるものではなく、例えば、画素Ｐｉｘがサブピクセルであってもよい。また、液晶バリア１０において、光が遮断される部分は斜線で示している。
【００４６】
立体視表示を行う場合には、表示駆動部５０に映像信号ＳＡ，ＳＢが交互に供給され、表示部２０はそれらに基づいて表示を行う。そして、液晶バリア１０では、開閉部１２（開閉部１２Ａ，１２Ｂ）が時分割的に開閉動作を行い、開閉部１１が閉状態（遮断状態）を維持する。具体的には、映像信号ＳＡが供給された場合には、図８（Ａ）に示したように、開閉部１２Ａが開状態になるとともに、開閉部１２Ｂが閉状態になる。表示部２０では、後述するように、この開閉部１２Ａに対応した位置に配置された互いに隣接する６つの画素Ｐｉｘが、映像信号ＳＡに含まれる６つの視点映像に対応する表示を行う。これにより、観察者は、後述するように、例えば左眼と右眼とで異なる視点映像を見ることにより、表示された映像を立体的な映像として感じるようになっている。同様に、映像信号ＳＢが供給された場合には、図８（Ｂ）に示したように、開閉部１２Ｂが開状態になるとともに、開閉部１２Ａが閉状態になる。表示部２０では、後述するように、この開閉部１２Ｂに対応した位置に配置された互いに隣接する６つの画素Ｐｉｘが、映像信号ＳＢに含まれる６つの視点映像に対応する表示を行う。これにより、観察者は、後述するように、例えば左眼と右眼とで異なる視点映像を見ることにより、表示された映像を立体的な映像として感じるようになっている。立体表示装置１では、このように、開閉部１２Ａと開閉部１２Ｂを交互に開放して映像を表示することにより、後述するように、表示装置の解像度を高めることができるようになっている。
【００４７】
通常表示（２次元表示）を行う場合には、液晶バリア１０では、図８（Ｃ）に示したように、開閉部１１および開閉部１２（開閉部１２Ａ，１２Ｂ）はともに開状態（透過状態）を維持するようになっている。これにより、観察者は、映像信号Ｓに基づいて表示部２０に表示された通常の２次元映像をそのまま見ることができる。
【００４８】
なお、図８に示したように、開閉部１１と開閉部１２との間には、開閉部境界２３が設けられている。この開閉部境界２３では、透明基板１３，１６上に透明電極１５，１７がそれぞれ形成されていない。つまり、開閉部境界２３は、開閉部１１と開閉部１２とは異なり、開閉動作を行うことができず、ノーマリーホワイト動作を行う液晶バリア１０では常に開状態（透過状態）となる。一方、ノーマリーブラック動作を行う液晶バリア１０では常に閉状態（遮断状態）となる。この開閉部境界２３は、開閉部１１，１２に比べて十分に小さいものであるため、観察者が気になることはほとんどない。これ以降の図および説明では、この開閉部境界２３を適宜省略することとする。
【００４９】
ここで、発光部ＢＬ１〜ＢＬ１０は、本発明における「サブ発光領域」の一具体例に対応する。開閉部１２（１２Ａ，１２Ｂ）は、本発明における「開閉部」の一具体例に対応する。グループＡ，Ｂは、本発明における「開閉部グループ」の一具体例に対応する。液晶バリア１０は、本発明における「光バリア部」の一具体例に対応する。バックライト駆動部４２は、本発明における「バックライト制御部」の一具体例に対応する。発光輝度データ保持部４３は、本発明における「輝度パラメータセット保持部」の一具体例に対応する。
【００５０】
［動作および作用］
続いて、本実施の形態の立体表示装置１の動作および作用について説明する。
【００５１】
（全体動作概要）
制御部４０は、外部より供給される映像信号Ｖdispに基づいて、表示駆動部５０、バックライト駆動部４２、およびバリア駆動部４１に対してそれぞれ制御信号を供給し、これらがお互いに同期して動作するように制御する。バックライト駆動部４２は、制御部４０から供給されるバックライト制御信号ＣＢＬ、および発光輝度データ保持部４３から供給される発光輝度データ４３に基づいてバックライト３０の各発光部ＢＬを駆動する。バックライト３０の各発光部ＢＬは、面発光した光を表示部２０に対して射出する。表示駆動部５０は、制御部４０から供給される映像信号Ｓに基づいて表示部２０を駆動する。表示部２０は、バックライト３０から射出した光を変調することにより表示を行う。バリア駆動部４１は、制御部４０から供給されるバリア制御命令ＣＢＲに基づいて液晶バリア１０を駆動する。液晶バリア１０の開閉部１１，１２（１２Ａ，１２Ｂ）は、バックライト３０から射出し表示部２０を透過した光を透過または遮断する。
【００５２】
（立体視表示の詳細動作）
次に、いくつかの図を参照して、立体視表示を行う場合の詳細動作を説明する。
【００５３】
図９は、表示部２０および液晶バリア１０の動作例を表すものであり、（Ａ）は、映像信号ＳＡが供給された場合を示し、（Ｂ）は映像信号ＳＢが供給された場合を示す。
【００５４】
映像信号ＳＡが供給された場合には、図９（Ａ）に示したように、表示部２０の画素Ｐｉｘのそれぞれは、映像信号ＳＡに含まれる６つの視点映像のそれぞれに対応する画素情報Ｐ１〜Ｐ６を表示する。このとき、画素情報Ｐ１〜Ｐ６は、開閉部１２Ａ付近に配置された画素Ｐｉｘにそれぞれ表示される。映像信号ＳＡが供給された場合には、液晶バリア１０では、開放部１２Ａが開状態（透過状態）になるとともに、開放部１２Ｂが閉状態になるように制御されている。表示部２０の各画素Ｐｉｘから出た光は、開閉部１２Ａによりそれぞれ角度が制限されて出力される。観察者は、例えば左眼で画素情報Ｐ３を、右眼で画素情報Ｐ４を見ることにより、立体的な映像を見ることができる。
【００５５】
映像信号ＳＢが供給された場合には、図９（Ｂ）に示したように、表示部２０の画素Ｐｉｘのそれぞれは、映像信号ＳＢに含まれる６つの視点映像のそれぞれに対応する画素情報Ｐ１〜Ｐ６を表示する。このとき、画素情報Ｐ１〜Ｐ６は、開閉部１２Ｂ付近に配置された画素Ｐｉｘにそれぞれ表示される。映像信号ＳＢが供給された場合には、液晶バリア１０では、開放部１２Ｂが開状態（透過状態）になるとともに、開放部１２Ａが閉状態になるように制御されている。表示部２０の各画素Ｐｉｘから出た光は、開閉部１２Ｂによりそれぞれ角度が制限されて出力される。観察者は、例えば左眼で画素情報Ｐ３を、右眼で画素情報Ｐ４を見ることにより、立体的な映像を見ることができる。
【００５６】
このように、観察者は、左眼と右眼とで、画素情報Ｐ１〜Ｐ６のうちの異なる画素情報を見ることとなり、観察者は立体的な映像として感じることができる。また、開閉部１２Ａと開閉部１２Ｂを時分割的に交互に開放して映像を表示することにより、観察者は、互いにずれた位置に表示される映像を平均化して見ることとなる。よって、立体表示装置１は、開閉部１２Ａのみをもつ場合に比べ、２倍の解像度を実現することが可能となる。言い換えれば、立体表示装置１の解像度は、２次元表示の場合に比べ１／３（＝１／６×２）で済むこととなる。
【００５７】
次に、液晶バリア１０、表示部２０、およびバックライト３０における動作を詳細に説明する。
【００５８】
図１０は、立体表示装置１における表示動作のタイミング図を表すものであり、（Ａ）は表示部２０の動作を示し、（Ｂ）はバックライト３０の動作を示し、（Ｃ）は液晶バリア１０の開閉部１２Ａの動作を示し、（Ｄ）は液晶バリア１０の開閉部１２Ｂの動作を示す。ここで、図１０（Ａ），（Ｂ）の縦軸は、表示部２０およびバックライト３０の線順次走査方向（ｙ軸方向）の位置をそれぞれ示す。つまり、図１０（Ａ）は、ある時刻の、あるｙ軸方向の位置における表示部２０の動作状態を示し、同様に、図１０（Ｂ）は、ある時刻の、あるｙ軸方向の位置におけるバックライト３０の動作状態を示している。
【００５９】
図１０（Ａ）において、“ＳＡ”は表示部２０が映像信号ＳＡに基づく表示を行っている状態を示し、“ＳＢ”は表示部２０が映像信号ＳＢに基づく表示を行っている状態を示している。また、“ＳＡ→ＳＢ”は、表示駆動部５０に映像信号ＳＢが供給され、表示部２０が映像信号ＳＡに基づく表示から映像信号ＳＢに基づく表示に変化している状態を示している。同様に、“ＳＢ→ＳＡ”は、表示駆動部５０に映像信号ＳＡが供給され、表示部２０が映像信号ＳＢに基づく表示から映像信号ＳＡに基づく表示に変化している状態を示している。この“ＳＡ→ＳＢ”および“ＳＢ→ＳＡ”は、表示部２０の液晶分子の応答に対応するものである。
【００６０】
また、図１０（Ｃ），（Ｄ）において、“開”は開閉部１２が開状態であることを示し、“閉”は開閉部１２が閉状態であることを示している。また、“開→閉”は開閉部１２が開状態から閉状態に変化している状態を示しており、“閉→開”は開閉部１２が閉状態から開状態に変化している状態であることを示している。この“開→閉”および“閉→開”は、液晶バリア１０の開閉部１２の液晶分子の応答に対応するものである。
【００６１】
立体表示装置１では、走査周期Ｔ１で行われる線順次走査により、開閉部１２Ａにおける表示（映像信号ＳＡに基づく表示）と開閉部１２Ｂにおける表示（映像信号ＳＢに基づく表示）とを時分割的に交互に行う。そして、周期Ｔごとにこれらの表示を繰り返す。ここで、周期Ｔは、例えば、１６．７［msec］（６０［Ｈｚ］の一周期分）にすることが可能である。この場合、走査周期Ｔ１は、４．２［msec］（周期Ｔの４分の１）である。
【００６２】
まず、タイミングｔ１からタイミングｔ２において、表示部２０では、表示駆動部５０から供給される駆動信号に基づき、最上部から最下部に向かって線順次走査が行われ、その表示が映像信号ＳＢに基づく表示から映像信号ＳＡに基づく表示に変化する（図１０（Ａ））。そして、バックライト３０では、バックライト駆動部４２から供給される駆動信号に基づき、発光部ＢＬ１〜ＢＬ１０が、表示部２０の線順次走査に同期して順次消灯する（図１０（Ｂ））。これにより、観察者は、表示部２０の変化状態（“ＳＢ→ＳＡ”）を見ることがないので、画質劣化を低減することができる。
【００６３】
次に、タイミングｔ２からタイミングｔ３において、表示部２０では、表示駆動部５０から供給される駆動信号に基づき、最上部から最下部に向かって線順次走査が行われ、映像信号ＳＡに基づく表示が行われる（図１０（Ａ））。すなわち、この例では、タイミングｔ１からタイミングｔ３において、同じ映像信号ＳＡにより表示動作が２回繰り返される。バックライト３０では、バックライト駆動部４２から供給される駆動信号に基づき、発光部ＢＬ１〜ＢＬ１０が、表示部２０の線順次走査に同期して順次点灯する（図１０（Ｂ））。このとき、発光部ＢＬ１〜ＢＬ１０は、発光輝度データ４４に基づいた発光輝度でそれぞれ発光する。液晶バリア１０では、バリア駆動部４１からの駆動信号に基づき、開閉部１２Ａが閉状態から開状態に変化する（図１０（Ｃ））。
【００６４】
次に、タイミングｔ３からタイミングｔ５において、表示部２０では、表示駆動部５０から供給される駆動信号に基づき線順次走査が行われ、その表示が映像信号ＳＡに基づく表示から映像信号ＳＢに基づく表示に変化する（図１０（Ａ））。そして、バックライト３０では、バックライト駆動部４２から供給される駆動信号に基づき、発光部ＢＬ１〜ＢＬ１０が、表示部２０の線順次走査に同期して順次消灯する（図１０（Ｂ））。液晶バリア１０では、タイミングｔ３からタイミングｔ４までの間、開閉部１２Ａが開状態を維持し、タイミングｔ４からタイミングｔ５において、バリア駆動部４１からの駆動信号に基づき、開閉部１２Ａが開状態から閉状態に変化する（図１０（Ｃ））。これにより、タイミングｔ３からタイミングｔ４において、バックライト３０が点灯している発光部ＢＬについて、観察者は表示部２０の映像信号ＳＡに基づく表示を見ることができる。なお、以上の説明では、説明の便宜上、観察者は、開閉部１２Ａが開状態になっているタイミングｔ３からタイミングｔ４の期間において、表示部２０における表示を見ることができるとしたが、実際には、開閉部１２Ａが閉状態から開状態に変化する際に徐々に見えるようになり、開状態から閉状態に変化する際に徐々に見えなくなるように動作する。
【００６５】
次に、タイミングｔ５からタイミングｔ６において、表示部２０では、線順次走査が行われ、映像信号ＳＢに基づく表示が行われる（図１０（Ａ））。バックライト３０では、バックライト駆動部４２から供給される駆動信号に基づき、発光部ＢＬ１〜ＢＬ１０が、発光輝度データ４４に基づいた発光輝度で、表示部２０の線順次走査に同期して順次点灯する（図１０（Ｂ））。液晶バリア１０では、バリア駆動部４１からの駆動信号に基づき、開閉部１２Ｂが閉状態から開状態に変化する（図１０（Ｄ））。
【００６６】
次に、タイミングｔ６からタイミングｔ８において、表示部２０では、線順次走査を行われ、その表示が映像信号ＳＢに基づく表示から映像信号ＳＡに基づく表示に変化する（図１０（Ａ））。そして、バックライト３０では、バックライト駆動部４２から供給される駆動信号に基づき、発光部ＢＬ１〜ＢＬ１０が、表示部２０の線順次走査に同期して順次消灯する（図１０（Ｂ））。液晶バリア１０では、タイミングｔ６からタイミングｔ７までの間、開閉部１２Ｂが開状態を維持し、タイミングｔ７からタイミングｔ８において、バリア駆動部４１からの駆動信号に基づき、開閉部１２Ａが開状態から閉状態に変化する（図１０（Ｄ））。これにより、タイミングｔ６からタイミングｔ７において、バックライト３０が点灯している発光部ＢＬについて、観察者は表示部２０の映像信号ＳＢに基づく表示を見ることができる。
【００６７】
以上の動作を繰り返すことにより、立体表示装置１は、開閉部１２Ａにおける表示（映像信号ＳＡに基づく表示）と開閉部１２Ｂにおける表示（映像信号ＳＢに基づく表示）とを交互に繰り返して行う。
【００６８】
立体表示装置１では、発光部ＢＬ１〜ＢＬ１０は、点灯する際、発光輝度データ４４に基づいた発光輝度でそれぞれ発光する。以下に、開閉部１２Ａにおける表示（映像信号ＳＡに基づく表示）の場合を例に、その詳細を説明する。
【００６９】
図１１は、白表示時における立体表示装置１の動作を表すものであり、（Ａ）はバックライト３０全体の動作を示し、（Ｂ）は開閉部１２Ａの動作を示し、（Ｃ）は発光部ＢＬ１の発光輝度を示し、（Ｄ）は発光部ＢＬ５の発光輝度を示し、（Ｅ）は開閉部１２Ａの光透過率を示し、（Ｆ）は表示領域Ｄ１での輝度を示し、（Ｇ）は表示領域Ｄ５での輝度を示す。この図１１は、図１０のタイミングｔ２からタイミングｔ５における動作に対応するものである。また、表示領域Ｄ１での輝度（図１１（Ｆ））は、発光部ＢＬ１から射出し白表示状態の表示部２０および液晶バリア１０の開閉部１２Ａを通過した光の輝度であり、発光部ＢＬ１の輝度（図１１（Ｃ））と開閉部１２Ａの光透過率（図１１（Ｅ））との積に対応するものである。同様に、表示領域Ｄ５での輝度（図１１（Ｇ））は、発光部ＢＬ５から射出し白表示状態の表示部２０および液晶バリア１０の開閉部１２Ａを通過した光の輝度であり、発光部ＢＬ５の輝度（図１１（Ｄ））と開閉部１２Ａの光透過率（図１１（Ｅ））との積に対応するものである。なお、以下では、説明の便宜上、開閉部１２Ａの開閉の過渡状態（“開→閉”，“閉→開”）では、図１１（Ｅ）に示したように、光透過率が線形的に変化するものとする。
【００７０】
タイミングｔ２からタイミングｔ３において、開閉部１２Ａが閉状態から開状態に変化すると（図１１（Ｂ））、その光透過率も変化し（図１１（Ｅ））、バックライト３０の各発光部ＢＬの状態に応じて（図１１（Ｃ），（Ｄ））、表示領域Ｄ１，Ｄ５での輝度が変化する（図１１（Ｆ），（Ｇ））。具体的には、表示領域Ｄ１での輝度は、発光部ＢＬ１が点灯している間（図１１（Ｃ））、開閉部１２Ａにおける開閉状態に応じて徐々に明るくなる（図１１（Ｆ））。同様に、表示領域Ｄ５での輝度は、発光部ＢＬ５が点灯している間（図１１（Ｄ））、開閉部１２Ａにおける開閉状態に応じて徐々に明るくなる（図１１（Ｇ））。
【００７１】
次に、タイミングｔ３からタイミングｔ４において、開閉部１２Ａが開状態になると、表示領域Ｄ１，Ｄ５での輝度は一定値（輝度Ｉ１，Ｉ５）になる。この輝度Ｉ１は、発光部ＢＬ１における発光輝度Ｊ１の光が、表示部２０および開閉部１２Ａを透過したものに対応し、輝度Ｉ５は、発光部ＢＬ５における発光輝度Ｊ５の光が、表示部２０および開閉部１２Ａを透過したものに対応する。そして、バックライト３０の発光部ＢＬ１が消灯すると（図１１（Ｃ））、それに応じて、表示領域Ｄ１での輝度が低下し（図１１（Ｆ））、発光部ＢＬ５が消灯すると（図１１（Ｄ））、それに応じて、表示領域Ｄ５での輝度が低下する（図１１（Ｇ））。
【００７２】
次に、タイミングｔ４からタイミングｔ５において、開閉部１２Ａが開状態から閉状態に変化すると（図１１（Ｂ））、その光透過率は低下してゼロとなる（図１１（Ｅ））。
【００７３】
図１１に示したように、バックライト３０の点灯期間と開閉部１２の開状態の期間（開放期間）との相対的なタイミング関係は、各発光部ＢＬによって異なるため、仮に各発光部ＢＬの発光輝度を同じにした場合には、各表示領域Ｄにおける輝度の平均値（平均輝度）が異なってしまう。そこで、立体表示装置１では、各表示領域Ｄにおける平均輝度が互いに等しくなるように、各発光部ＢＬの発光輝度Ｊを独立して設定している。具体的には、例えば、図１１に示したように、発光部ＢＬ１の発光輝度Ｊ１を発光部ＢＬ５の発光輝度Ｊ５よりも高く設定することにより、輝度Ｉ１を輝度Ｉ５よりも高くして、表示領域Ｄ１での輝度（図１１（Ｆ））の時間平均値と表示領域Ｄ５での輝度（図１１（Ｇ））の時間平均値とを等しくなるように制御している。
【００７４】
図１２は、白表示時における立体表示装置１の輝度を表すものであり、（Ａ）は各発光部ＢＬ１〜ＢＬ１０の発光輝度Ｊ１〜Ｊ１０を示し、（Ｂ）は表示領域Ｄ１〜Ｄ１０での平均輝度を示す。バックライト制御部４２は、発光輝度データ保持部４３の発光輝度データ４４に基づき、バックライト３０の各発光部ＢＬ１〜ＢＬ１０の発光輝度Ｊ１〜Ｊ１０を、例えば図１２（Ａ）に示したようにそれぞれ設定する。これにより、図１２（Ｂ）に示したように、白表示時における表示領域Ｄ１〜Ｄ１０での平均輝度をほぼ均一にすることができる。なお、この例では、表示領域Ｄ１〜Ｄ１０の平均輝度は互いに等しくなっているが、これに限定されるものではなく、観察者が画質の劣化を感じない程度にその平均輝度が互いに若干異なっていてもよい。
【００７５】
（比較例）
次に、比較例に係る立体表示装置１Ｒについて説明する。本比較例は、発光部ＢＬ１〜ＢＬ１０の発光輝度Ｊ１〜Ｊ１０を互いに等しくしたものである。その他の構成は、本実施の形態（図１）と同様である。
【００７６】
図１３は、白表示時における立体表示装置１Ｒの動作を表すものであり、（Ａ）はバックライト３０全体の動作を示し、（Ｂ）は開閉部１２Ａの動作を示し、（Ｃ）は発光部ＢＬ１の発光輝度を示し、（Ｄ）は発光部ＢＬ５の発光輝度を示し、（Ｅ）は開閉部１２Ａの光透過率を示し、（Ｆ）は表示領域Ｄ１での輝度を示し、（Ｇ）は表示領域Ｄ５での輝度を示す。
【００７７】
図１４は、白表示時における立体表示装置１Ｒの輝度を表すものであり、（Ａ）は各発光部ＢＬ１〜ＢＬ１０の発光輝度Ｊ１〜Ｊ１０を示し、（Ｂ）は表示領域Ｄ１〜Ｄ１０での平均輝度を示す。
【００７８】
図１３に示したように、立体表示装置１Ｒでは、発光部ＢＬ１〜ＢＬ１０が互いに等しい発光輝度ＪＲで発光する（図１３（Ｃ），（Ｄ））。これにより、開閉部１２Ａが開状態のときの、表示領域Ｄ１，Ｄ５での輝度もまた等しくなる（輝度ＩＲ）。しかしながら、バックライト３０の点灯期間と開閉部１２の開状態の期間（開放期間）との相対的なタイミング関係は、各発光部ＢＬによって異なるため、図１４（Ｂ）に示したように、各表示領域Ｄにおける輝度の平均値（平均輝度）は互いに異なったものになってしまう。
【００７９】
一方、本実施の形態に係る立体表示装置１では、発光部ＢＬ１〜ＢＬ１０が独立して互いに異なる発光輝度Ｊ１〜Ｊ１０で発光できるようにしたので、図１２（Ｂ）に示したように、各表示領域Ｄにおける輝度の平均値（平均輝度）を互いに等しくすることができる。
【００８０】
［効果］
以上のように本実施の形態では、バックライトを複数の発光部に分け、各発光部の発光輝度を独立して設定できるようにしたので、表示面内の各表示領域における平均輝度を独立して調整することができる。
【００８１】
また、本実施の形態では、バックライトの各発光部の点灯期間と開閉部の開放期間との相対的なタイミング関係に基づいて、各発光部の発光輝度をそれぞれ設定するようにしたので、表示面内における各表示領域の平均輝度を互いに等しくすることができ、表示面内で輝度を均一にすることができる。
【００８２】
［変形例１］
上記実施の形態では、発光輝度データ保持部４３を設け、発光輝度データ保持部４３の発光輝度データ４４に基づいて、各発光部ＢＬの発光輝度Ｊを設定するようにしたが、これに限定されるものではなく、これに代えて、例えば、発光輝度データ保持部４３を設けず、バックライト３０において、各発光部ＢＬの光源３１の数により、各発光部ＢＬの発光輝度Ｊを設定してもよい。
【００８３】
＜２．第２の実施の形態＞
次に、本発明の第２の実施の形態に係る立体表示装置２について説明する。本実施の形態では、温度センサを設け、温度によって、各発光部ＢＬ１〜ＢＬ１０の発光輝度Ｊの設定を変えるように構成したものである。なお、上記第１の実施の形態に係る立体表示装置１と実質的に同一の構成部分には同一の符号を付し、適宜説明を省略する。
【００８４】
図１５は、立体表示装置２の一構成例を表すものである。立体表示装置２は、温度センサ６９と、制御部６０と、発光輝度データ保持部６３と、バックライト駆動部６２とを備えている。温度センサ６９は温度を検出するものである。制御部６０は、表示駆動部５０およびバリア駆動部４１を制御するとともに、温度センサ６９から供給された温度情報に基づいて、バックライト駆動部６２を制御するものである。発光輝度データ保持部６３は、発光輝度データ４４を複数含むＬＵＴ（Look Up Table）６４を有している。複数の発光輝度データ４４は、例えば１０℃ごとに設定された複数の温度範囲のそれぞれにおいて、各発光部ＢＬに対して発光輝度Ｊ（後述する発光輝度Ｊ１〜Ｊ１０）を指示するためのものである。バックライト制御部６２は、制御部６０から供給された温度情報に基づいて、ＬＵＴ６４からその温度に対応する発光輝度データ４４を選択し、その発光輝度データ４４に基づいてバックライト３０を制御する機能を有している。
【００８５】
図１６は、立体表示装置２における表示動作のタイミング図を表すものであり、（Ａ）は表示部２０の動作を示し、（Ｂ）はバックライト３０の動作を示し、（Ｃ）は低温時における開閉部１２Ａの動作を示し、（Ｄ）は高温時における開閉部１２Ａの動作を示す。なお、この図１６は、図１０のタイミングｔ１からタイミングｔ６における動作に対応するものである。
【００８６】
液晶分子の応答時間は、一般に温度によって変化し、温度が低いときは応答時間が長くなり、一方、温度が高いときには応答時間が短くなる。よって、液晶バリア１０において、開閉部１２（１２Ａ，１２Ｂ）が開状態から閉状態に変化する時間、および閉状態から開状態に変化する時間は、温度が低いときには長くなり（図１６（Ｃ））、温度が高いときには短くなる（図１６（Ｄ））。これにより、バックライト３０の点灯期間と開閉部１２の開状態の期間との相対的なタイミング関係が温度によって変化するため、表示面における各表示領域Ｄの平均輝度を互いに等しくするためには、各発光部ＢＬの発光輝度Ｊを温度によって変える必要がある。
【００８７】
図１７は、各発光部ＢＬの発光輝度Ｊを表すものであり、（Ａ）は低温時における発光輝度Ｊを示し、（Ｂ）は高温時における発光輝度Ｊを示す。発光輝度Ｊ（Ｊ１〜Ｊ１０）は、高温時、低温時のそれぞれにおいて、表示領域Ｄ１〜Ｄ１０の平均輝度が互いに等しくなるように設定している。また、高温時には、図１６に示したように、低温時に比べ、開閉部１２Ａが開状態になる期間が長いため、発光輝度Ｊは、図１７に示したように全体的に低くしている。これにより、温度が変化しても表示面全体の輝度が大きく変化しないようにすることができる。
【００８８】
以上のように本実施の形態では、各温度範囲において、バックライトの各発光部の点灯期間と開閉部の開放期間との相対的なタイミング関係に基づいて、各発光部の発光輝度をそれぞれ設定したので、温度が変化しても、表示面内における各表示領域の平均輝度を互いに等しくすることができ、表示面内で輝度を均一にすることができる。
【００８９】
また、本実施の形態では、高温時において、低温時に比べて各発光部の発光輝度を低く設定するようにしたので、温度が変化しても、表示面全体の輝度が大きく変化しないようにすることができる。
【００９０】
その他の効果は、上記第１の実施の形態の場合と同様である。
【００９１】
＜３．第３の実施の形態＞
次に、本発明の第３の実施の形態に係る立体表示装置３について説明する。本実施の形態では、温度によって、液晶バリアの開閉部１２の開閉タイミングが変化するとともに、バックライト３０の各発光部ＢＬ１〜ＢＬ１０の発光輝度Ｊの設定を変えるように構成したものである。なお、上記第１および第２の実施の形態に係る立体表示装置１，２と実質的に同一の構成部分には同一の符号を付し、適宜説明を省略する。
【００９２】
図１８は、立体表示装置３の一構成例を表すものである。立体表示装置３は、温度センサ６９と、制御部７０と、開閉タイミングデータ保持部７４と、バリア駆動部７１とを備えている。制御部７０は、表示駆動部５０を制御するとともに、温度センサ６９から供給された温度情報に基づいて、バリア駆動部７１およびバックライト駆動部６２を制御するものである。開閉タイミングデータ保持部７４は、液晶バリア１０の開閉部１２（１２Ａ，１２Ｂ）の開閉タイミングを示す開閉タイミングデータ７５を複数含むＬＵＴ７６を有している。複数の開閉タイミングデータ７５は、複数の温度範囲のそれぞれにおいて、液晶バリア１０に対して、開閉部１２の開閉タイミングを指示するためのものである。バリア駆動部７１は、制御部７０から供給された温度情報に基づいて、ＬＵＴ７６からその温度に対応する開閉タイミングデータ７５を選択し、その開閉タイミングデータ７５に基づいて液晶バリア１０を制御する機能を有している。
【００９３】
図１９は、立体表示装置３における表示動作のタイミング図を表すものであり、（Ａ）は表示部２０の動作を示し、（Ｂ）はバックライト３０の動作を示し、（Ｃ）は低温時における開閉部１２Ａの動作を示し、（Ｄ）は高温時における開閉部１２Ａの動作を示す。なお、この図１９は、図１０のタイミングｔ１からタイミングｔ６における動作に対応するものである。
【００９４】
立体表示装置３では、温度に応じて液晶分子の応答時間が変化したとき、開閉部１２（１２Ａ，１２Ｂ）が開状態から閉状態に変化し終わるタイミングが、表示部２０において走査が終了するタイミングｔ５になるように制御する。すなわち、低温時には、図１９（Ｃ）に示したように、バリア駆動部７１がタイミングｔ４１において開閉部１２Ａを開状態から閉状態に変化し始めるように制御することにより、開閉部１２Ａは、その応答時間を経た後にタイミングｔ５において閉状態になる。同様に、高温時には、図１９（Ｄ）に示したように、バリア駆動部７１がタイミングｔ４２において開閉部１２Ａを開状態から閉状態に変化し始めるように制御することにより、開閉部１２Ａは、その応答時間を経た後にタイミングｔ５において閉状態になる。このように制御することにより、開閉部１２における開状態の期間（開放期間）を長くすることができ、表示面全体における輝度を高くすることができる。
【００９５】
このように開閉部１２Ａの開閉タイミングを制御した場合でも、バックライト３０の点灯期間と開閉部１２の開状態の期間との相対的なタイミング関係が温度によって変化するため、上記第２の実施の形態における立体表示装置２と同様に、各発光部ＢＬの発光輝度Ｊを温度によって変えることにより、表示面における各表示領域Ｄの平均輝度を互いに等しくすることができる。
【００９６】
以上のように本実施の形態では、開閉部の閉動作の開始タイミングを温度により変更することにより、開状態から閉状態に変化し終わるタイミングを、表示部における線順次走査の終了タイミングに合わせるようにしたので、開閉部の開状態の期間を長くすることができ、表示面全体の輝度を高くすることができる。
【００９７】
その他の効果は、上記第１および第２の実施の形態の場合と同様である。
【００９８】
＜４．第４の実施の形態＞
次に、本発明の第４の実施の形態に係る立体表示装置４について説明する。本実施の形態では、上記第１の実施の形態における液晶バリア１０の開閉部１２を線順次走査方向（ｙ軸方向）に分割して構成したものである。すなわち、本実施の形態では、上記第１の実施の形態（図１，図２）の液晶バリア１０に代えて、開閉部１２を分割した液晶バリア８０を用いて立体表示装置４を構成している。なお、上記第１の実施の形態に係る立体表示装置１と実質的に同一の構成部分には同一の符号を付し、適宜説明を省略する。
【００９９】
図２０は、液晶バリア８０の一構成例を表すものである。液晶バリア８０は、開閉部８２を有している。開閉部８２は、上記第１の実施の形態に係る液晶バリア１０における開閉部１２に対応するものである。液晶バリア８０には、ｙ軸方向（線順次走査方向）に並ぶように区域Ｚ１，Ｚ２が設定され、開閉部８２は、各区域において、ｘ軸方向に開閉部１１と交互に並設されている。
【０１００】
液晶バリア８０では、区域Ｚ１に配置された開閉部８２と、区域Ｚ２に配置された開閉部８２とは、互いに独立して動作できるようになっている。バリア駆動部４１は、これらの開閉部８２を独立に駆動することにより、立体視表示を行う際、区域Ｚ１の開閉部８２が開閉動作を行うタイミングと、区域Ｚ２の開閉部８２が開閉動作を行うタイミングとが互いに異なるようにすることができる。
【０１０１】
図２１は、開閉部８２のグループ構成例を表すものである。区域Ｚ１，Ｚ２のそれぞれにおいて、開閉部８２は、この例では２つのグループを構成している。具体的には、区域Ｚ１において、１つおきに配置された複数の開閉部８２が、グループＡ１およびグループＢ１をそれぞれ構成している。同様に、区域Ｚ２において、１つおきに配置された複数の開閉部８２が、グループＡ２およびグループＢ２をそれぞれ構成している。
【０１０２】
バリア駆動部４１は、立体視表示を行う際、同じグループに属する複数の開閉部８２が同じタイミングで開閉動作を行うように駆動する。具体的には、区域Ｚ１において、バリア駆動部４１は、グループＡ１に属する複数の開閉部８２と、グループＢ１に属する複数の開閉部８２とを、時分割的に交互に開閉動作するように駆動する。同様に、区域Ｚ２において、バリア駆動部４１は、グループＡ２に属する複数の開閉部８２と、グループＢ２に属する複数の開閉部８２とを、時分割的に交互に開閉動作するように駆動する。
【０１０３】
なお、以下では、グループＡ１，Ａ２に属する開閉部８２の総称として開閉部８２Ａを適宜用い、同様に、グループＢ１，Ｂ２に属する開閉部８２の総称として開閉部８２Ｂを適宜用いるものとする。
【０１０４】
図２２は、立体表示装置４における表示動作のタイミング図を表すものであり、（Ａ）は表示部２０の動作を示し、（Ｂ）はバックライト３０の動作を示し、（Ｃ）は液晶バリア８０の開閉部８２Ａの動作を示し、（Ｄ）は液晶バリア８０の開閉部８２Ｂの動作を示す。
【０１０５】
図２２（Ｃ），（Ｄ）において、開閉部８２Ａ，８２Ｂの動作は、区域Ｚ１，Ｚ２ごとに示している。すなわち、図２２（Ｃ）において、区域Ｚ１の部分に示されている“開”，“開→閉”，“閉”，“閉→開”は、区域Ｚ１における開閉部８２Ａ（グループＡ１に属する開閉部８２）の動作を示し、区域Ｚ２の部分に示されている“開”，“開→閉”，“閉”，“閉→開”は、区域Ｚ２における開閉部８２Ａ（グループＡ２に属する開閉部８２）の動作を示す。同様に、図２２（Ｄ）において、区域Ｚ１の部分に示されている“開”，“開→閉”，“閉”，“閉→開”は、区域Ｚ１における開閉部８２Ｂ（グループＢ１に属する開閉部８２）の動作を示し、区域Ｚ２の部分に示されている“開”，“開→閉”，“閉”，“閉→開”は、区域Ｚ２における開閉部８２Ｂ（グループＢ２に属する開閉部８２）の動作を示す。
【０１０６】
まず、タイミングｔ１１からタイミングｔ１３において、表示部２０では、線順次走査が行われ、その表示が映像信号ＳＢに基づく表示から映像信号ＳＡに基づく表示に変化する（図２２（Ａ））。そして、バックライト３０では、発光部ＢＬ１〜ＢＬ１０が、表示部２０の線順次走査に同期して順次消灯する（図２２（Ｂ））。液晶バリア１０では、タイミングｔ１２において、区域Ｚ１における開閉部８２Ａが閉状態から開状態に変化し始め（図２２（Ｃ））、タイミングｔ１３において、区域Ｚ２における開閉部８２Ａが閉状態から開状態に変化し始める（図２２（Ｃ））。
【０１０７】
次に、タイミングｔ１３からタイミングｔ１５において、表示部２０では、線順次走査が行われ、映像信号ＳＡに基づく表示が行われる（図２２（Ａ））。バックライト３０では、発光部ＢＬ１〜ＢＬ１０が、発光輝度データ４４に基づいた発光輝度で、表示部２０の線順次走査に同期して順次点灯する（図２２（Ｂ））。表示部２０では、タイミングｔ１５からタイミングｔ１７において線順次走査が行われ、その表示が映像信号ＳＡに基づく表示から映像信号ＳＢに基づく表示に変化する（図２２（Ａ））。そして、バックライト３０では、発光部ＢＬ１〜ＢＬ１０が、表示部２０の線順次走査に同期して順次消灯する（図２２（Ｂ））。液晶バリア１０では、タイミングｔ１４からタイミング１６において区域Ｚ１における開閉部８２Ａが開状態を維持し、その後に開状態から閉状態に変化する（図２２（Ｃ））。また、タイミングｔ１５からタイミング１７において区域Ｚ２における開閉部８２Ａが開状態を維持し、その後に開状態から閉状態に変化する（図２２（Ｃ））。一方、タイミングｔ１６において、区域Ｚ１における開閉部８２Ｂが閉状態から開状態に変化し始め（図２２（Ｄ））、タイミングｔ１７において区域Ｚ２における開閉部８２Ｂが閉状態から開状態に変化し始める（図２２（Ｄ））。
【０１０８】
次に、タイミングｔ１７からタイミングｔ１９において、表示部２０では、線順次走査が行われ、映像信号ＳＢに基づく表示が行われる（図２２（Ａ））。バックライト３０では、発光部ＢＬ１〜ＢＬ１０が、発光輝度データ４４に基づいた発光輝度で、表示部２０の線順次走査に同期して順次点灯する（図２２（Ｂ））。表示部２０では、タイミングｔ１９からタイミングｔ２１において線順次走査が行われ、その表示が映像信号ＳＢに基づく表示から映像信号ＳＡに基づく表示に変化する（図２２（Ａ））。そして、バックライト３０では、発光部ＢＬ１〜ＢＬ１０が、表示部２０の線順次走査に同期して順次消灯する（図２２（Ｂ））。液晶バリア１０では、タイミングｔ１８からタイミング２０において区域Ｚ１における開閉部８２Ｂが開状態を維持し、その後に開状態から閉状態に変化する（図２２（Ｄ））。また、タイミングｔ１９からタイミング２１において区域Ｚ２における開閉部８２Ｂが開状態を維持し、その後に開状態から閉状態に変化する（図２２（Ｄ））。一方、タイミングｔ２０において、区域Ｚ１における開閉部８２Ａが閉状態から開状態に変化し始め（図２２（Ｃ））、タイミングｔ２１において区域Ｚ２における開閉部８２Ａが閉状態から開状態に変化し始める（図２２（Ｃ））。
【０１０９】
以上の動作を繰り返すことにより、立体表示装置１は、開閉部１２Ａにおける表示（映像信号ＳＡに基づく表示）と開閉部１２Ｂにおける表示（映像信号ＳＢに基づく表示）とを交互に繰り返して行う。
【０１１０】
立体表示装置４では、ｙ軸方向に並んで配置された区域Ｚ１，Ｚ２のそれぞれに開閉部８２を設け、区域Ｚ１の開閉部８２と区域Ｚ２の開閉部８２とが独立して動作するようにしたので、開閉部８２の開放時間を長くすることができ、表示面全体の輝度を高くすることができる。
【０１１１】
図２３は、白表示時における立体表示装置４の輝度を表すものであり、（Ａ）は各発光部ＢＬ１〜ＢＬ１０の発光輝度Ｊ１〜Ｊ１０を示し、（Ｂ）は表示領域Ｄ１〜Ｄ１０での平均輝度を示す。バックライト制御部４２は、発光輝度データ保持部４３の発光輝度データ４４に基づき、バックライト３０の各発光部ＢＬ１〜ＢＬ１０の発光輝度Ｊ１〜Ｊ１０を、例えば図２３（Ａ）に示したようにそれぞれ設定する。これにより、図２３（Ｂ）に示したように、白表示時における表示領域Ｄ１〜Ｄ１０での平均輝度をほぼ均一にすることができる。なお、図２３（Ａ）において、発光輝度Ｊ５，Ｊ６間に大きな差が生じているのは、区域Ｚ１の開閉部８２と区域Ｚ２の開閉部８２とが異なるタイミングで独立して動作しているためである。
【０１１２】
以上のように本実施の形態では、線順次走査方向に並んで配置された区域Ｚ１，Ｚ２のそれぞれに開閉部８２を設け、区域Ｚ１の開閉部８２と区域Ｚ２の開閉部８２とが独立して動作するようにしたので、開閉部８２の開放時間を長くすることができ、表示面全体の輝度を高くすることができる。その他の効果は、上記第１および第２の実施の形態の場合と同様である。
【０１１３】
［変形例４−１］
上記実施の形態では、第１の実施の形態に係る立体表示装置１に、開閉部８２を含む液晶バリア８０を適用したが、これに限定されるものではなく、これに代えて、例えば、第２の実施の形態に係る立体表示装置２に液晶バリア８０を適用してもよいし、第３の実施の形態に係る立体表示装置３に液晶バリア８０を適用してもよい。
【０１１４】
［変形例４−２］
上記実施の形態では、ｙ軸方向に２つの区域を設定しそれぞれに開閉部８２を設けるようにしたが、これに限定されるものではなく、例えば、ｙ軸方向に３つ以上の区域を設定してもよい。
【０１１５】
以上、いくつかの実施の形態および変形例を挙げて本発明を説明したが、本発明はこれらの実施の形態等には限定されず、種々の変形が可能である。
【０１１６】
例えば、上記実施の形態等では、立体表示装置のバックライト３０、表示部２０、液晶バリア１０は、この順に配置したが、これに限定されるものではなく、これに代えて、例えば、図２４に示したように、バックライト３０、液晶バリア１０、表示部２０の順に配置してもよい。
【０１１７】
図２５は、本変形例に係る表示部２０および液晶バリア１０の動作例を表すものであり、（Ａ）は、映像信号ＳＡが供給された場合を示し、（Ｂ）は映像信号ＳＢが供給された場合を示す。本変形例では、バックライト３０から射出した光は、まず液晶バリア１０に入射する。そして、その光のうち、開閉部１２Ａ，１２Ｂを透過した光が表示部２０において変調されるとともに、６つの視点映像を出力するようになっている。
【０１１８】
また、例えば、上記実施の形態等では、表示部２０の線順次走査方向（ｙ軸方向）に対してのみ分割されているバックライトを用いたが、これに限定されるものではなく、ｙ軸方向に加え、ｘ軸方向にも分割されているバックライトを用いてもよい。
【０１１９】
図２６は、ｘ軸方向とｙ軸方向の両方の方向に対して分割されたバックライト３０Ｃの一構成例を表すものである。この例では、バックライトは、ｘ軸方向およびｙ軸方向にともに１０分割されている。このようなバックライトは、例えば、画面の半分が暗いような映像があったときに、その部分のバックライトの輝度を落としたり消灯したりすることにより消費電力を削減する目的で、従来からしばしば使用されるものである。このようなバックライトを用いても、上記実施の形態と同様の効果を得ることができる。すなわち、図２６に示したように、ｘ軸方向の１０個の発光部を同時に制御しつつ、ｙ軸方向の１０個の発光部を独立して制御することにより、上記実施の形態と同様の効果を得ることができる。
【０１２０】
また、例えば、上記実施の形態等では、液晶バリアの開閉部はｙ軸方向に延伸するものとしたが、これに限定されるものではなく、これに代えて、例えば、図２７（Ａ）に示したステップバリア形式や、図２７（Ｂ）に示した斜めバリア形式であってもよい。ステップバリア形式については、例えば、特開２００４−２６４７６２号公報に記載がある。また、斜めバリア形式については、例えば、特開２００５−８６５０６号公報に記載がある。
【０１２１】
また、例えば、上記実施の形態等では、開閉部１２は２つのグループを構成したが、これに限定されるものではなく、これに代えて、例えば３つ以上のグループを構成するようにしてもよい。これにより、表示の分解能をさらに改善することができる。図２８は、開閉部１２が３つのグループＡ，Ｂ，Ｃを構成する場合の例を表すものである。上記実施の形態と同様に、開閉部１２ＡはグループＡに属する開閉部１２を示し、開閉部１２ＢはグループＢに属する開閉部１２を示し、開閉部１２ＣはグループＣに属する開閉部１２を示す。開閉部１２Ａ，１２Ｂ，１２Ｃを時分割的に交互に開放して映像を表示することにより、この変形例に係る立体表示装置は、開口部１２Ａのみをもつ場合に比べ、３倍の解像度を実現することが可能となる。言い換えれば、この立体表示装置の解像度は、２次元表示の場合に比べ１／２（＝１／６×３）で済むこととなる。
【０１２２】
また、例えば、上記実施の形態等では、液晶により構成された液晶バリア１０を用いるようにしたが、これに限定されるものではない。図２９は、開閉部の応答時間が早いバリア１０Ｅを用いた場合の表示動作を表すものである。バリア１０Ｅでは、開閉部１２Ａは、タイミングｔ２からタイミングｔ３において閉状態から開状態へ短い応答時間で切り換わり、タイミングｔ３からタイミングｔ５において開状態から閉状態へ短い応答時間で切り換わる。同様に、開閉部１２Ｂは、タイミングｔ５からタイミングｔ６において閉状態から開状態へ短い応答時間で切り換わり、タイミングｔ６からタイミングｔ８において開状態から閉状態へ短い応答時間で切り換わる。このとき、バックライト３０が点灯している期間のうちの殆どの期間が、開閉部１２が開状態になっている期間と重なるようになる。これにより、発光輝度データ４４に基づく発光輝度Ｊの補正量を少なくすることができる。
【０１２３】
また、例えば、上記実施の形態等では、表示部２０は液晶を用いるものとしたが、これに限定されるものではない。
【０１２４】
また、例えば、上記実施の形態等では、図１０などに示したように、バックライト３０は、表示部２０における線順次走査に同期して点灯および消灯をするようにしたが、これに限定されるものではなく、これに代えて、観察者が見たときに画質の劣化を感じない範囲で、その消灯する時間を短くし、あるいは長くしてもよい。
【０１２５】
また、例えば、上記実施の形態等では、映像信号ＳＡ，ＳＢが６つの視点映像を含むようにしたが、これに限定されるものではなく、５つ以下の視点映像や、７つ以上の視点映像を含むようにしてもよい。この場合、図８に示した液晶バリア１０の開閉部１２Ａ，１２Ｂと、画素Ｐｉｘとの関係も変化する。すなわち、例えば、映像信号ＳＡ，ＳＢが５つの視点映像を含む場合には、開閉部１２Ａは、表示部２０の５つの画素Ｐｉｘに１つの割合で設けることが望ましく、同様に、開閉部１２Ｂは、表示部２０の５つの画素Ｐｉｘに１つの割合で設けることが望ましい。
【０１２６】
また、例えば、上記実施の形態等では、バックライト３０の発光部ＢＬ１と発光部ＢＬ２との間で互いに光が伝わらないようにしたが、これに限定されるものではなく、例えば、大きな画質劣化が生じない範囲であれば光が伝わってもよい。上記実施の形態で述べたように、バックライトの各発光部で発光する光は、他の発光部に漏れ出さないことが望ましく、漏れ出し光があった場合、画質の劣化を生じるおそれがある。具体的には、図５において、例えば、発光部ＢＬ２からの漏れ出し光が発光部ＢＬ１に入射してしまうことにより、発光部ＢＬ１から射出される光は、発光部ＢＬ１を発光すべく駆動している時間より長い時間発光することになる。しかし、その場合であっても、発光部ＢＬ２からの漏れ出し光の量が、発光部ＢＬ１の出力光に対して小さなものである場合は、大きな画質劣化は生じず、立体表示が可能である。
【符号の説明】
【０１２７】
１〜４，１Ｂ…立体表示装置、１０，１０Ａ，１０Ｂ，１０Ｃ…液晶バリア、１１，１２，１２Ａ，１２Ｂ，１２Ｃ，８２，８２Ａ，８２Ｂ…開閉部、１３，１６…透明基板、１４，１８…偏光板、１５，１７…透明電極、１９…液晶層、２０…表示部、２３…開閉部境界、３０，３０Ｃ…バックライト、３１…光源、３２…導光板、４０，６０…制御部、４１，７１…バリア駆動部、４２，６２…バックライト駆動部、４３，６３…発光輝度データ保持部、４４…発光輝度データ、５０，５０Ｃ…表示駆動部、５１…タイミング制御部、５２…ゲートドライバ、５３…データドライバ、６４，７６…ＬＵＴ、６９…温度センサ、Ａ，Ａ１，Ａ２，Ｂ，Ｂ１，Ｂ２…グループ、ＢＬ，ＢＬ１〜ＢＬ１０…発光部、Ｃ…保持容量素子、ＣＢＬ…バックライト制御信号、ＣＢＲ…バリア制御信号、Ｄ…データ線、Ｄ１〜Ｄ１０…表示領域、Ｇ…ゲート線、Ｉ１〜Ｉ１０…輝度、Ｊ１〜Ｊ１０…発光輝度、ＬＣ…液晶素子、Ｐix…画素、Ｐ１〜Ｐ６…画素情報、Ｓ，Ｓ１，ＳＡ，ＳＢ，Ｖdisp…映像信号、Ｔ…周期、Ｔ１…走査周期、Ｔｒ…ＴＦＴ素子、Ｚ１，Ｚ２…区域。
【図１】
2012103400.tif 000003
【図２】
2012103400.tif 000004
【図３】
2012103400.tif 000005
【図４】
2012103400.tif 000006
【図５】
2012103400.tif 000007
【図６】
2012103400.tif 000008
【図７】
2012103400.tif 000009
【図８】
2012103400.tif 000010
【図９】
2012103400.tif 000011
【図１０】
2012103400.tif 000012
【図１１】
2012103400.tif 000013
【図１２】
2012103400.tif 000014
【図１３】
2012103400.tif 000015
【図１４】
2012103400.tif 000016
【図１５】
2012103400.tif 000017
【図１６】
2012103400.tif 000018
【図１７】
2012103400.tif 000019
【図１８】
2012103400.tif 000020
【図１９】
2012103400.tif 000021
【図２０】
2012103400.tif 000022
【図２１】
2012103400.tif 000023
【図２２】
2012103400.tif 000024
【図２３】
2012103400.tif 000025
【図２４】
2012103400.tif 000026
【図２５】
2012103400.tif 000027
【図２６】
2012103400.tif 000028
【図２７】
2012103400.tif 000029
【図２８】
2012103400.tif 000030
【図２９】
2012103400.tif 000031